(57)【要約】      （修正有）【課題】冷蔵機構の熱交換器殺菌において殺菌手段の紫外線が漏れない殺菌装置を提供する。【解決手段】冷蔵機構内の紫外線発光体１０の熱交換器４と反対側に、発光体遮蔽体１１（第一の発光体遮蔽体）が配置されており、さらに熱交換器４の周囲は熱交換器遮蔽体６で覆われおり、熱交換器遮蔽体６の端縁開口９には遮蔽板２３を多数備えた遮蔽蓋２１（第二の発光体遮蔽体）が取り付けられることにより紫外線が外に漏れることを防ぎ、空気が遮蔽蓋２１の遮蔽板２３の隙間から吸い込まれ、熱交換器４に当たり冷却され、紫外線発光体１０の反対側に位置するファンによって殺菌装置外に送り出される機構を持つ冷蔵機構の殺菌装置。【選択図】図３
2019116991.tif 000002
【特許請求の範囲】
【請求項１】
冷蔵機構の熱交換器の周囲を、光が漏れないように遮蔽する熱交換器遮蔽体と、
１００ナノメートルから５５０ナノメートルの波長の紫外線を発し、上記熱交換器遮蔽体の中において、上記熱交換器に対して、所定間隔をもって配置され、上記熱交換器に当該紫外線を照射して、当該熱交換器を殺菌する紫外線発光体と、
上記紫外線発光体の上記熱交換器と反対側に配置され、上記紫外線発光体の紫外線を遮蔽して、上記熱交換器遮蔽体の外への紫外線発光体の紫外線を遮蔽するとともに、当該紫外線発光体から上記熱交換器全体への紫外線の照射を許容し、上記熱交換器遮蔽体との間に隙間を有し空気の流通を許容する第一の発光体遮蔽体と、
上記熱交換器遮蔽体の上記熱交換器と反対側に形成され、空気の流入を許容するとともに、人間の手の侵入を防止する第二の発光体遮蔽体とを備えたことを特徴とする冷蔵機構の殺菌装置。
【請求項２】
上記第二の発光体遮蔽体は床から１５０センチメートル乃至５００センチメートルの高さで、第二の発光体遮蔽体は傾斜しており、冷蔵機構の外に向かって上るように傾斜していることを特徴とする請求項１記載の冷蔵機構の殺菌装置。
【請求項３】
上記紫外線発光体及び第一の発光体遮蔽体は、上記熱交換器遮蔽体及び第二の発光体遮蔽体によって覆われていることを特徴とする請求項２記載の冷蔵機構の殺菌装置。
【請求項４】
上記第二の発光体遮蔽体は、多数の細長い水平の遮蔽板からなり、この多数の細長い遮蔽板は互いにほぼ平行で、水平に対して斜めに傾斜されて配置される請求項３記載の冷蔵機構の殺菌装置。
【請求項５】
上記熱交換器は多数の板を備え、上記紫外線発光体は細長く、上記熱交換器の多数の各板の長手方向は、上記紫外線発光体の長手方向と交差していることを特徴とする請求項４記載の冷蔵機構の殺菌装置。
【請求項６】
上記熱交換器の、紫外線発光体と異なる側には、当該空気を熱交換器で冷却または加温する送風機構が設けられていることを特徴とする請求項５記載の冷蔵機構の殺菌装置。
【請求項７】
上記第二の発光体遮蔽体が上記熱交換器遮蔽体から外されたことを検出する検出手段と、
この検出手段の検出結果に応じて、上記紫外線発光体を消灯させる消灯手段とをさらに備えたことを特徴とする請求項６記載の冷蔵機構の殺菌装置。
【発明の詳細な説明】
【技術分野】
【０００１】
本発明は、冷蔵機構の殺菌装置に関し、特に冷蔵機構の熱交換器、エバポレータ、コンプレッサ、コンデンサ、フィルタ、ファンなどに付着する、雑菌、細菌、ばい菌、病原菌、浮遊菌、ウィルス、バクテリア、カビ、微生物、虫などを殺菌、消毒、殺虫し、これらを除去、除菌し、さらにはこれ以外のゴミ、ホコリなども除去し、殺菌、滅菌、除菌、消毒、清掃する冷蔵機構の消毒装置に関する。
【背景技術】
【０００２】
従来、このような冷蔵機構の熱交換器などを清潔にするものは存在しなかった。そこで、紫外線などを照射して、殺菌することが考えられる。
【０００３】
【特許文献１】特開２００７−０２９９００号公報
【特許文献２】実開平０４−０３２４２４号公報
【特許文献３】特開２０００−３０１９３９号公報
【特許文献４】実開平０６−０１２７７３号公報
【発明の開示】
【発明が解決しようとする課題】
【０００４】
しかし、殺菌作用のある紫外線は目にはよくなく、漏れないようにすることが求められる。一方で、冷蔵機構は、冷気、空気を循環、流入、流出しなくてはならなかった。
【課題を解決するための手段】
【０００５】
上記課題を解決するため、本発明の冷蔵機構の殺菌装置では、冷蔵機構の熱交換器の周囲を、光が漏れないように遮蔽する熱交換器遮蔽体と、１００ナノメートルから５５０ナノメートルの波長の紫外線を発し、上記熱交換器遮蔽体の中において、上記熱交換器に対して、所定間隔をもって配置され、上記熱交換器に当該紫外線を照射して、当該熱交換器を殺菌する紫外線発光体と、上記紫外線発光体の上記熱交換器と反対側に配置され、上記紫外線発光体の紫外線を遮蔽して、上記熱交換器遮蔽体の外への紫外線発光体の紫外線を遮蔽するとともに、当該紫外線発光体から上記熱交換器全体への紫外線の照射を許容し、上記熱交換器遮蔽体との間に隙間を有し空気の流通を許容する第一の発光体遮蔽体と、上記熱交換器遮蔽体の上記熱交換器と反対側に形成され、空気の流入を許容するとともに、人間の手の侵入を防止する第二の発光体遮蔽体とを備えた。
【０００６】
これにより、冷蔵機構の殺菌装置から紫外線が漏れることがなくなる。また、空気を冷やす熱交換器への冷気の循環、流入、流出が阻害されることがない。
【図面の簡単な説明】
【０００７】
【図１】冷蔵機構１の外観を示す。
【図２】冷蔵機構１の外観を示す。
【図３】冷蔵機構１の殺菌装置２から遮蔽蓋２１を外した断面を示す。
【図４】冷蔵機構１の殺菌装置２から遮蔽蓋２１を外した外観を示す。
【図５】検出装置の回路を示す。
【発明を実施するための形態】
【０００８】
（１）冷蔵機構１
図１及び図２は本発明の冷蔵機構１の殺菌装置２、つまり殺菌装置２を有する冷蔵機構１の空調機３の全体外観を示す。この冷蔵機構１は、業務用の冷蔵室の内部の天井などに固定され、冷気が冷蔵室内に供給されて、冷蔵室内部の食品などを冷却、冷凍する。
【０００９】
天井に冷蔵機構１が設けられているので、冷蔵機構１は成人の人間の目の高さより高く、例えば、床から１５０センチメートル乃至５００センチメートルの高さに設置され、冷蔵機構１からの冷気は障害物で邪魔されることなく、冷蔵室全体に供給される。この空調機３の熱交換器４のパイプ７には冷媒が充填されて循環され、このパイプ７に取り付けられた熱伝導性の高い多数の板５…を通じて冷気が供給される。
【００１０】
冷蔵機構１では冷蔵室を冷やすために、上記パイプ７に冷やされた冷媒が流れて上記板５…を通じて冷気が冷蔵機構１内に供給される。このパイプ７は熱交換器４内を何回も往復して、冷媒が熱交換器４内を十分、循環される。
【００１１】
この冷蔵機構１の空調機３の熱交換器４の周囲、つまり上下左右には、ステンレス製の板状の熱交換器遮蔽体６が隙間なく箱状に配置されて、中からの光が漏れないようになっている。この熱交換器遮蔽体６の一部、つまり左右側面の熱交換器遮蔽体６を上記パイプ７が貫通してユーターンしている。
【００１２】
図３及び図４に示すように、この熱交換器遮蔽体６は、熱交換器４の前方へ延出され、空洞の箱状の発光体収納部８が形成されている。この発光体収納部８の端縁は、方形状の端縁開口９となっている。この端縁開口９のやや内側または端縁開口９付近の発光体収納部８内には、水平方向に線状に延びる紫外線発光体１０が、上記熱交換器４に対して、所定間隔をもって配置されている。
【００１３】
この紫外線発光体１０は、１００ナノメートルから５５０ナノメートル、望ましくは２００ナノメートルから２８０ナノメートルの波長の紫外線を発する。この紫外線は、通常は地表には到達するものではなく、ＤＮＡ（遺伝子）、ＲＮＡに当たって破壊し、雑菌、細菌、ばい菌、病原菌、浮遊菌、ウィルス、バクテリア、カビ、微生物、虫などを殺菌、消毒、殺虫し、これらを除去、除菌する。
【００１４】
また、このような除菌などによって、カビなどがでないため、ゴミ、ホコリなどまでもあわせて防止されて、除去され、殺菌、滅菌、除菌、消毒、清掃を行うことができるほか、清潔にも保たれる。このような殺菌作用のある紫外線は、上記熱交換器４に上記所定間隔をもって照射され、当該熱交換器４を殺菌し、熱交換器４を清潔に保つ。紫外線発光体１０は、熱交換器４全体に紫外線が照射されるように配置される。
【００１５】
（２）遮蔽体１１、２１
上記線状の紫外線発光体１０の上記熱交換器４と反対側には、紫外線発光体１０に沿って発光体遮蔽体１１が配置されている。この発光体遮蔽体１１は、断面「コ」字状で「コ」字状の両縁がテーパー状に開いている。これにより、紫外線発光体１０からの紫外線が熱交換器４に向かって放射される。
【００１６】
紫外線発光体１０は、発光体遮蔽体１１の上記「コ」字状の中央、中心に水平方向に配置され、この発光体遮蔽体１１の「コ」字状の両縁は上下に一直線状に延出されて延出板１２、１２となっている。これにより、紫外線発光体１０からの紫外線が発光体遮蔽体１１より前に漏れることがなくなり、熱交換器遮蔽体６、発光体収納部８、発光体遮蔽体１１から外へ、紫外線発光体１０からの紫外線が漏れることがなく遮蔽する。
【００１７】
しかし、紫外線発光体１０は発光体遮蔽体１１の後方（図３、図４左方）へは露出しており、紫外線発光体１０からの紫外線は熱交換器４全体への照射は許容される。発光体遮蔽体１１及び延出板１２、１２と、熱交換器遮蔽体６内面との間には隙間１３が形成され、空気、冷気の流通、循環が許容される。
【００１８】
上記熱交換器遮蔽体６の端縁開口９には、遮蔽蓋２１が取り付けられている。遮蔽蓋２１は、方形状の枠板２２と、多数の細長い遮蔽板２３…とから構成されている。枠板２２は、上記熱交換器遮蔽体６の端縁開口９に対して取り外し可能、または開閉可能となっていて、通常は閉じられて、枠板２２は熱交換器遮蔽体６の端縁開口９に固定されている。
【００１９】
枠状の枠板２２内には、多数の水平の細長い遮蔽板２３…が架け渡されており、この多数の細長い遮蔽板２３…は互いに平行で、水平に対して傾斜、例えば４５度に斜めに傾斜されて配置され、遮蔽板２３…の幅は数センチメートル、例えば３センチメートルで、遮蔽板２３…の間隔は数センチメートル、例えば２センチメートルで、遮蔽板２３…の幅より間隔の方が小さい。
【００２０】
したがって、遮蔽板２３…、遮蔽蓋２１、枠板２２は、上記熱交換器遮蔽体６の上記熱交換器４と反対側に形成され、空気の流入を許容するとともに、人間の手の侵入を防止する。これにより、不用意に手などが入れられるのが防止されるし、紫外線が目に入るのが防止される。また、遮蔽板２３…の間から、冷気、空気の流通、循環が許容される。
【００２１】
また、上記紫外線発光体１０及び発光体遮蔽体１１は、上記熱交換器遮蔽体６及び遮蔽蓋２１によって覆われている。これにより、紫外線発光体１０からの紫外線が、熱交換器遮蔽体６及び遮蔽蓋２１の外に漏れることがなく、安全である。
【００２２】
上記遮蔽蓋２１の遮蔽板２３…の傾斜の方向は、冷蔵機構１の外に向かって上るように傾斜している。また、冷蔵機構１の空調機３及び紫外線発光体１０は、人間の目の位置より高いところに設置されている。これにより、紫外線発光体１０からの紫外線が、発光体遮蔽体１１ばかりでなく、さらに遮蔽板２３…によっても、二重に遮蔽される。
【００２３】
したがって、上記遮蔽板２３…の傾斜の方向は、通常の成人の人間の通常の目の位置に対して、より遮蔽する方向、つまり冷蔵機構１の外に向かって上るように傾斜する。この場合、冷蔵機構１の空調機３は冷凍室の天井への吊り下げ方式のものであるが、床などへの設置式のもので通常の成人の人間の目の位置より低いところに設置されれば、遮蔽板２３…の傾斜の方向は、冷蔵機構１の外に向かって下るように傾斜することになる。
【００２４】
また、遮蔽板２３…の傾斜の角度も任意に変更可能である。紫外線発光体１０から、人間の平均身長の目の位置へ向かう直線にほぼ直交するように、遮蔽板２３…の向きが変えられる。これにより、紫外線発光体１０からの紫外線の、遮蔽板２３…による遮蔽が、より完全になる。
【００２５】
上記熱交換器４は上述したように、パイプ７に熱伝導性の高い多数の板５…が取り付けられ、放熱または吸熱される。この多数の板５…は、垂直方向の向きにそろえて配列されており、小さい隙間を保って積層されており、板５…の長手方向は縦向きで、この多数の板５…をパイプ７が貫通している。
【００２６】
上記紫外線発光体１０は上述したように、細長く、その長手方向は水平方向となっている。したがって、板５…の長手方向は、紫外線発光体１０の長手方向と交差している。これにより、積層された板５…の間に、紫外線発光体１０からの紫外線が確実に照射されて到達され、板５…の間も確実に消毒、清掃される。なお、上記交差は、直交のほか、斜めに交差してもよい。
【００２７】
上記熱交換器４の、紫外線発光体１０と異なる側、例えば反対側には、ファン２４が設けられ、熱交換器４に冷気、空気が送り込まれ、熱交換器４に触れる空気が冷却される。これにより、紫外線発光体１０から熱交換器４に照射される紫外線がファン２４で邪魔されず、熱交換器４に確実に紫外線が照射される。
【００２８】
（３）検出装置
図５に示すように、検出スイッチ３１は上記熱交換器遮蔽体６と遮蔽蓋２１との間に設けられ、遮蔽蓋２１が熱交換器遮蔽体６から外されたときに開かれ、遮蔽蓋２１が熱交換器遮蔽体６に取り付けられているときには閉じられる。
【００２９】
検出スイッチ３１の一端は交流の電源に接続され、他端は安定回路３２を経て上記紫外線発光体１０に接続されている。したがって、検出スイッチ３１が開かれると、紫外線発光体１０は消灯され、検出スイッチ３１が閉じられると、紫外線発光体１０は点灯される。
【００３０】
これにより、遮蔽蓋２１が開けられると、紫外線発光体１０が消灯されて、紫外線発光体１０からの紫外線が、熱交換器遮蔽体６及び遮蔽蓋２１の外に漏れることがなく、安全である。また、遮蔽蓋２１が閉じられると、紫外線発光体１０が点灯されて、紫外線発光体１０からの紫外線が、熱交換器４に照射されて熱交換器４が殺菌される。
【００３１】
(４)他の実施の形態
本発明は、上記実施形態に限定されず、種々変更可能である。例えば、本発明の紫外線発光体１０からの紫外線の波長は、１００ナノメートルから５５０ナノメートル、１５０ナノメートルから４２０ナノメートル、２００ナノメートルから３００ナノメートル、２４０ナノメートルから２６０ナノメートルなど、殺菌できれば、どの波長でもよい。
【００３２】
冷蔵機構１の殺菌装置２の高さは、成人の人間の目の高さより高く、例えば、床から１５０センチメートル乃至５００センチメートルの高さであるが、１００センチメートル以上、１１０センチメートル以上、１２０センチメートル以上、１３０センチメートル以上、１４０センチメートル以上、１６０センチメートル以上、１７０センチメートル以上、１８０センチメートル以上、１９０センチメートル以上、２００センチメートル以上でもよい。
【００３３】
また、冷蔵機構１の殺菌装置２の高さは、５００センチメートル以下、４５０センチメートル以下、４００センチメートル以下、３５０センチメートル以下、３００センチメートル以下、２５０センチメートル以下、２４０センチメートル以下、２３０センチメートル以下、２２０センチメートル以下、２１０センチメートル以下、２００センチメートル以下でもよい。
【００３４】
熱交換器遮蔽体６の一部は、冷蔵室、冷凍室の天井、壁、床、ドア、建物、ビルの一部、マンションの一部、家屋の壁、屋根、天井、床、窓、ドア、テラス、柱、梁、ひさしなど、光が漏れないように遮蔽するものならば何でもよい。紫外線発光体１０は、線状のほか、点状、面状でもよい。
【００３５】
紫外線発光体１０から熱交換器４までの距離は、数センチメートル乃至数十センチメートルである。熱交換器４が大きい場合には、紫外線発光体１０は、複数配置される。複数の紫外線発光体１０は熱交換器４から等距離であるが、異なっていてもよい。複数の紫外線発光体１０は互いに平行であるが、一直線状に並んで配列してもよいし、互いに交差していてもよい。
【００３６】
ファン２４、熱交換器４、熱交換器遮蔽体６、発光体収納部８、端縁開口９、紫外線発光体１０、発光体遮蔽体１１（延出板１２、１２、隙間１３）、遮蔽蓋２１、遮蔽板２３…は、ほぼ一列に配列されているが、これらのいずれかで、斜めに、または直角に、折れ曲がって配列されてもよい。
【００３７】
発光体遮蔽体１１、延出板１２、１２の形状は、折れ曲がった平板状のほか、湾曲した凹面・凸面、ジグザグ状、波状、凹凸状、多数の棒が何層にも積層されたものなど、どのような形状でもよく、紫外線発光体１０の紫外線を遮蔽して、熱交換器遮蔽体６の外への紫外線発光体１０の紫外線を遮蔽するとともに、紫外線発光体１０から上記熱交換器４全体への紫外線の照射を許容し、熱交換器遮蔽体６との間に隙間を有し空気、冷気の流通、循環を許容するものならば何でもよい。
【００３８】
発光体遮蔽体１１の上記「コ」字状の中央、中心に水平方向に紫外線発光体１０は配置されるが、この中心から前方または後方にずれていてもよいし、左右、上下にずれていてもよい。発光体遮蔽体１１、延出板１２、１２の内面は鏡面として紫外線が反射しやすく、外面は光の吸収率が高くてもよい。隙間１３は、何もないが、網状、スリット状、穴点在状などが設けられ、冷気、空気の流通、循環を許容する隙間はどのようなものでもよい。
【００３９】
上記冷蔵機構１の殺菌装置２の遮蔽蓋２１の遮蔽板２３…は、よろい戸タイプのほか、網戸、スリット入りの蓋、水玉模様のように穴が点在している蓋、隙間ある面板、ジグザグ状の戸、凹凸のある戸、波状の戸、多数の棒が何層にも積層された戸など、冷気、空気の流通、循環を許容するとともに、人間の手の侵入を防止するものならば、何でもよい。
【００４０】
上記熱交換器４、板５、熱交換器遮蔽体６、パイプ７、発光体収納部８、端縁開口９、発光体遮蔽体１１、延出板１２、１２、遮蔽蓋２１、枠板２２、遮蔽板２３…、ファン２４の材質は、ステンレスであるが、鉄、アルミニウム、亜鉛、銅、すず、ニッケル、ジュラルミン、タングステン、真ちゅう、これ以外の金属、これらの金属の合金でもよいし、プラスチック（耐火性）、セラミック、セルロース強化された、またはセルロースナノファイバーの木材、竹、紙、パルプ、繊維、これらの合成物製／混合物製／多層積層物製／複合材料などでもよい。
【００４１】
ファン２４は、熱交換器４の紫外線発光体１０とは反対側に設けられるが、紫外線発光体１０と同じ側に設けられてもよい。これにより、ファン２４も同様に消毒される。ファン２４は、ブロア、ポンプなど、熱交換器４に冷気、空気の流通、循環できれば何でもよい。
【００４２】
本発明の冷蔵機構１の殺菌装置２は、冷蔵機構、冷凍機構のほか、空調機、製氷機構、エアコン、乾燥機、室内機、室外機に設けられてもよいし、冷蔵機構１は吊り下げ式、床への設置式、天井、壁などへの埋め込み式など、どのようなものでもよいが、通常は冷気を循環させるため、冷蔵室、冷凍室の部屋の天井に備え付けられる。
【００４３】
遮蔽蓋２１の板２２…は、水平に対して傾斜しているが、水平でもよいし、垂直でもよいし、各板２２…の向きは各板２２…ごとに異なっていたり、高さに応じて徐々に変化したりしてもよい。熱交換器４の多数の板５…は、垂直方向であるが、水平でもよいし、傾斜していてもよいし、各板５…の向きは各板５…ごとに異なっていたり、高さに応じて徐々に変化したりしてもよい。
【００４４】
遮蔽蓋２１の板２２…の各間隔は、２センチメートル以上でも、２センチメートル以下でもよいし、板２２…の幅より大きくてもよいし、小さくてもよい。板２２…の幅より大きいと、冷気、空気の流通がしやすくなる。板２２…の幅より小さいと、紫外線が目に入りにくい。
【００４５】
冷蔵機構１の空調機３が、成人の人間の目より高ければ、遮蔽板２３…の傾斜の方向は、冷蔵機構１の外に向かって下るように傾斜し、冷蔵機構１の空調機３が、成人の人間の目より低ければ、遮蔽板２３…の傾斜の方向は、冷蔵機構１の外に向かって上るように傾斜していてもよい。
【００４６】
熱交換器４の多数の板５、遮蔽蓋２１（第二の発光体遮蔽体）の板２２は、平板状であるが、網状の板、スリット入りの板、水玉模様のように穴が点在している板、隙間ある板、ジグザグ状の板、凹凸のある板、波状の板、円筒状、角筒状、多数の棒が何層にも積層された板など、何でもよい。発光体遮蔽体１１、延出板１２、１２は、遮蔽蓋２１の中、例えば板２２の中に両者兼用されて設けられてもよい。
【００４７】
熱交換器４の板５…の長手方向は、紫外線発光体１０の長手方向と平行していてもよい。この場合、紫外線発光体１０は多数設けられる。検出スイッチ３１は、遮蔽蓋２１が熱交換器遮蔽体６から外れたことを、機械的に検出してもよいし、光センサ、磁気センサ、電気センサ、ホール素子などで、電磁的、光学的に検出してもよい。
【００４８】
紫外線発光体１０または遮蔽蓋２１（第二の発光体遮蔽体）は、発光体遮蔽体１１（第一の発光体遮蔽体）または熱交換器遮蔽体６によって覆われているが、紫外線発光体１０または遮蔽蓋２１（第二の発光体遮蔽体）は、発光体遮蔽体１１（第一の発光体遮蔽体）または熱交換器遮蔽体６から外にとびだしていてもよい。
【００４９】
熱交換器遮蔽体６、発光体収納部８の各面の板は一枚で平坦であるが、二枚以上つなぎ合わせてもよいし、凹凸があってもよい。パイプ７の配列、本数は、図面のものにかぎられず、どのような配列、本数であってもよい。ファン２４（送風機構）の外側には、安全のために柵が設けられているが、図面では省略されている。
【００５０】
冷蔵機構１を加温室としても使用でき、上記パイプ７に温められた媒体が流れて上記板５…を通じて放熱され、温風が循環、流通され、室内が温められる。冷蔵機構１は冷却温度によって、冷凍庫としても使用される。
【００５１】
本冷蔵機構１は、車両、列車、船舶、航空機の冷蔵車、冷凍車としても使用可能である。冷蔵機構１は、業務用のコンテナほどの大きさであるが、家庭用の小型のものでもよい。本冷蔵機構１は、製氷機構、エアコン、空調機、乾燥機の室外機または室内機としても使用可能である。
【００５２】
上記熱交換器４自体、つまり殺菌装置２の紫外線が照射される対象は、ファン、冷却コイル、フィルターのほか、コンデンサ、エクスバンションバルブ、エバポレータ、コンプレッサなどの気化圧縮型、アブソーバー、ジェネレーター、セパレーター、コンデンサ、エバポレータなどの気化吸収型、ペルチェ効果を発揮する機構、スターリング冷凍機、ケミカルヒートポンプ、水素吸蔵合金などを含む。
【００５３】
上記冷蔵機構１、殺菌装置２、空調機３、熱交換器４、板５、熱交換器遮蔽体６、パイプ７、発光体収納部８、端縁開口９、紫外線発光体１０、発光体遮蔽体１１（第一の発光体遮蔽体）、延出板１２、１２、隙間１３、遮蔽蓋２１（第二の発光体遮蔽体）、板２２、遮蔽板２３…、ファン２４（送風機構）、検出スイッチ３１、安定回路３２は、単数でも複数でも３つ以上でもよいし、これらそれぞれの構成、動作、作用、工程または機能の一部または全体は省略されてもよいし、分割分離されてその数が増えても減ってもよいし、その形状は任意に変更可能であり、均等の他の物に置き換えられてもよいし、これらの２つまたは３つ以上が合体または一体化されて兼用されてもよいし、向きは図示のもののほか、９０度、０度乃至１８０度、上下、左右、前後、手前、奥に傾斜／向きを変えて／反転されて使用されてもよく、それぞれの寸法の相対的大小は切り換えられてもよいし同じでもよく、これらの材質は金属製または樹脂製のほか、木製、集成材製、合成材製、合板製、表面に化粧紙が接着されたもの、竹製、樹脂製、金属製、ガラス製、綿製、布製、糸製、繊維製、ゴム製、紙製、コンクリート製、セラミック製、カーボン製、硬質ウレタン製、これらの合成物製／混合物製／多層積層物製／複合材料でもよいし、それぞれの間の固定はボルト及びナット、ねじ、面ファスナー、線ファスナー、縫合、接着剤、接着テープ、フック及びホック、磁石などなんでもよい。
【００５４】
（５）他の発明の効果
［１］冷蔵機構の熱交換器の周囲を、光が漏れないように遮蔽する熱交換器遮蔽体と、  １００ナノメートルから５５０ナノメートルの波長の紫外線を発し、上記熱交換器遮蔽体の中において、上記熱交換器に対して、所定間隔をもって配置され、上記熱交換器に当該紫外線を照射して、当該熱交換器を殺菌する紫外線発光体と、  上記紫外線発光体の上記熱交換器と反対側に配置され、上記紫外線発光体の紫外線を遮蔽して、上記熱交換器遮蔽体の外への紫外線発光体の紫外線を遮蔽するとともに、当該紫外線発光体から上記熱交換器全体への紫外線の照射を許容し、上記熱交換器遮蔽体との間に隙間を有し空気の流通を許容する第一の発光体遮蔽体と、  上記熱交換器遮蔽体の上記熱交換器と反対側に形成され、空気の流入を許容するとともに、人間の手の侵入を防止する第二の発光体遮蔽体とを備えたことを特徴とする冷蔵機構の殺菌装置。
【００５５】
［２］上記第二の発光体遮蔽体は床から１５０センチメートル乃至５００センチメートルの高さで、人間の目の位置より高く、第二の発光体遮蔽体は傾斜しており、冷蔵機構の外に向かって上るように傾斜しており、上記遮蔽板の傾斜の方向は、人間の通常の目の位置に対して、より遮蔽する方向である請求項１記載の冷蔵機構の殺菌装置。  これにより、紫外線をより完全に遮蔽し、紫外線が冷蔵機構の殺菌装置の外に漏れない。
【００５６】
［３］上記紫外線発光体及び第一の発光体遮蔽体は、上記熱交換器遮蔽体及び第二の発光体遮蔽体によって覆われていることを特徴とする請求項２記載の冷蔵機構の殺菌装置。  これにより、紫外線発光体からの紫外線が冷蔵機構の殺菌装置の外に漏れない。
【００５７】
［４］上記第二の発光体遮蔽体は、多数の細長い水平の遮蔽板からなり、この多数の細長い遮蔽板は互いにほぼ平行で、水平に対して斜めに傾斜されて配置される請求項３記載の冷蔵機構の殺菌装置。  これにより、遮蔽板が水平に対して斜めに傾斜されて配置されるので、紫外線をより遮蔽し、紫外線が冷蔵機構の殺菌装置の外に漏れない。
【００５８】
［５］上記熱交換器は多数の板を備え、上記紫外線発光体は細長く、上記熱交換器の多数の各板の長手方向は、上記紫外線発光体の長手方向と交差していることを特徴とする請求項４記載の冷蔵機構の殺菌装置。  これにより、熱交換器の多数の各板の間を奥まで殺菌できる。
【００５９】
［６］  上記熱交換器の、紫外線発光体と異なる側には、当該空気を熱交換器で冷却または加温する送風機構が設けられていることを特徴とする請求項５記載の冷蔵機構の殺菌装置。  これにより、紫外線発光体からの紫外線が、送風機構で遮断されることがなくなり、熱交換器の殺菌が効率的に実行される。
【００６０】
［７］上記第二の発光体遮蔽体が上記熱交換器遮蔽体から外されたことを検出する検出手段と、  この検出手段の検出結果に応じて、上記紫外線発光体を消灯させる消灯手段とをさらに備えたことを特徴とする請求項６記載の冷蔵機構の殺菌装置。  これにより、遮蔽蓋を冷蔵機構、空調機、発光体収納部から外そうとしたときに、紫外線発光体が消灯されて、紫外線が冷蔵機構の殺菌装置の外に漏れない。
【産業上の利用可能性】
【００６１】
冷蔵機構の熱交換器を殺菌して清潔に保つ。冷蔵機構１の熱交換器４は、紫外線発光体１０からの紫外線で殺菌され清潔に保たれる。紫外線発光体１０の熱交換器４と反対側には、発光体遮蔽体１１（第一の発光体遮蔽体）が配置されて紫外線が外に漏れない。さらに熱交換器４の周囲は熱交換器遮蔽体６で覆われ紫外線が外に漏れない。
【００６２】
熱交換器遮蔽体６の端縁開口９には、遮蔽板２３…を多数備えた遮蔽蓋２１（第二の発光体遮蔽体）が取り付けられ、紫外線が外に漏れない。熱交換器４へ流通、循環する冷気、空気は、遮蔽蓋２１の遮蔽板２３…の隙間から入り、遮蔽蓋２１及び延出板１２と熱交換器遮蔽体６の隙間１３を通って、熱交換器４に当たり、ファン２４によって送り出されて、循環される。
【符号の説明】
【００６３】
１…冷蔵機構  ２…殺菌装置
３…空調機  ４…熱交換器
５…板  ６…熱交換器遮蔽体
７…パイプ  ８…発光体収納部
９…端縁開口  １０…紫外線発光体
１１…発光体遮蔽体（第一の発光体遮蔽体）
１２…延出板  １３…隙間
２１…遮蔽蓋（第二の発光体遮蔽体）
２２…枠板  ２３…遮蔽板
２４…ファン（送風機構）  ３２…安定回路
３１…検出スイッチ（検出手段、消灯手段）
【図１】
2019116991.tif 000003
【図２】
2019116991.tif 000004
【図３】
2019116991.tif 000005
【図４】
2019116991.tif 000006
【図５】
2019116991.tif 000007